(57)【要約】欠陥管理を適用した追記型高密度記録媒体、欠陥管理方法及びその装置を提供する。追記型高密度記録媒体上にトラック単位またはクラスター単位のデータを記録した後、記録されたデータを検証し、検証結果、欠陥があれば、欠陥が発生した部分は飛ばした後、次の記録位置に欠陥部分とその以後に記録されたデータとを再記録することによって、欠陥のある追記型高密度記録媒体にも飛ばし置換を使用した欠陥管理方法を適用して欠陥を回避しつつ、記録し続けられるようにして記録媒体の信頼度を高める。
2005535992.tif 000002
【特許請求の範囲】
【請求項１】
データが所定サイズの記録単位で記録されており、
前記データは、前記記録単位で記録されてから検証され、検証された結果に欠陥があれば、欠陥が発生した部分には何らのデータも記録されず、
前記欠陥部分とその以後に記録されたデータとは、次の記録位置に再記録されていることを特徴とする追記型高密度記録媒体。
【請求項２】
前記所定サイズの記録単位は、所定数のクラスターより構成されたトラック単位であることを特徴とする請求項１に記載の記録媒体。
【請求項３】
前記所定サイズの記録単位は、１つのクラスター単位であることを特徴とする請求項１に記載の記録媒体。
【請求項４】
前記記録媒体上に存在する欠陥に関する情報が所定領域にさらに記録されていることを特徴とする請求項１に記載の記録媒体。
【請求項５】
レーザービームを用いて記録された、追記型高密度記録媒体であって、
データが所定数のクラスターよりなるトラック単位で記録されており、
前記データは、前記トラック単位で記録されてから検証され、検証された結果に欠陥があれば、欠陥があるクラスターから該当トラック内の最後のクラスターまでは何らのデータも記録されず、
次に記録するトラックに欠陥クラスターとその以後に記録されたクラスターに該当するデータが再記録されていることを特徴とする記録媒体。
【請求項６】
前記記録媒体上に存在する欠陥に関する情報が所定領域にさらに記録されていることを特徴とする請求項５に記載の記録媒体。
【請求項７】
レーザービームを用いて記録された、追記型高密度記録媒体において、
データがクラスター単位で記録されており、
前記データは、前記クラスター単位で記録されてから検証され、検証された結果が該当クラスターに欠陥があれば、欠陥があるクラスターには何らのデータも記録されず、
次に記録するクラスターに欠陥クラスターに該当するデータが再記録されていることを特徴とする記録媒体。
【請求項８】
前記記録媒体上に存在する欠陥に関する情報が所定領域にさらに記録されていることを特徴とする請求項７に記載の記録媒体。
【請求項９】
所定サイズの記録単位でデータを記録した後、記録単位で記録されたデータを検証する段階と、
前記検証段階で検証された結果に欠陥があれば、欠陥が発生した部分は飛ばした後、次の記録位置に欠陥部分と欠陥部分以後に記録されたデータとを再記録する段階とを含むことを特徴とする追記型高密度記録媒体のための欠陥管理方法。
【請求項１０】
前記方法は、
前記検証段階で検証された結果、該当記録単位に欠陥がなければ、次の記録単位のデータを記録した後、検証する過程を反復する段階をさらに含むことを特徴とする請求項９に記載の欠陥管理方法。
【請求項１１】
前記方法は、
飛ばした前記欠陥部分及びその以後に記録されたデータに関する情報を臨時保存空間に臨時保存する段階をさらに含むことを特徴とする請求項９に記載の欠陥管理方法。
【請求項１２】
前記方法は、
前記臨時保存空間に保存されている情報を用いて前記記録媒体上に存在する欠陥に関する情報を前記記録媒体上の所定領域に記録する段階をさらに含むことを特徴とする請求項１１に記載の欠陥管理方法。
【請求項１３】
前記所定サイズの記録単位は、所定数のクラスターよりなるトラック単位であることを特徴とする請求項９に記載の欠陥管理方法。
【請求項１４】
前記所定サイズの記録単位は所定数のセクターより構成されたクラスター単位であることを特徴とする請求項９に記載の欠陥管理方法。
【請求項１５】
レーザービームを用いて記録された、追記型高密度記録媒体のための欠陥管理方法であって、
所定数のクラスターよりなるトラック単位でデータを記録した後、トラック単位で記録されたデータを検証する段階と、
前記検証段階で検証された結果、欠陥があれば、欠陥があるクラスターから該当トラック内の最後のクラスターまでは飛ばした後、次に記録するトラックに欠陥クラスターとその以後に記録されたクラスターとに該当するデータを再記録する段階とを含むことを特徴とする欠陥管理方法。
【請求項１６】
前記方法は、
前記検証段階で検証された結果、該当トラックに欠陥がなければ、次のトラック単位のデータを記録した後、検証する過程を反復する段階をさらに含むことを特徴とする請求項１５に記載の欠陥管理方法。
【請求項１７】
前記方法は、
飛ばした前記欠陥クラスターとその以後に記録されたクラスターとに関する情報を臨時保存空間に臨時保存する段階をさらに含むことを特徴とする請求項１５に記載の欠陥管理方法。
【請求項１８】
前記方法は、
前記臨時保存空間に保存されている情報を用いて前記記録媒体上に存在する欠陥に関する情報を前記記録媒体上の所定領域に記録する段階をさらに含むことを特徴とする請求項１７に記載の欠陥管理方法。
【請求項１９】
前記検証段階は、
所定数のクラスターよりなるトラック単位でデータを記録する段階と、
１トラックをジャンプして戻っていく段階と、
前記トラック単位で記録されたデータを読込んで検証する段階とを含む欠陥管理方法。
【請求項２０】
レーザービームを用いて記録された、追記型高密度記録媒体のための欠陥管理方法であって、
クラスター単位でデータを記録した後、クラスター単位の記録されたデータを検証する段階と、
前記検証段階で検証された結果、該当クラスターに欠陥があれば、欠陥クラスターは飛ばした後、次のクラスターに欠陥クラスターに該当するデータを再記録する段階を含むことを特徴とする欠陥管理方法。
【請求項２１】
前記方法は、
前記検証段階で検証された結果、該当クラスターに欠陥がなければ、次のクラスター単位のデータを記録した後、検証する過程を反復する段階をさらに含むことを特徴とする請求項２０に記載の欠陥管理方法。
【請求項２２】
前記方法は、
飛ばした前記欠陥クラスターに関する情報を臨時保存空間に臨時保存する段階をさらに含むことを特徴とする請求項２０に記載の欠陥管理方法。
【請求項２３】
前記方法は、
前記臨時保存空間に保存されている情報を用いて前記記録媒体上に存在する欠陥に関する情報を前記記録媒体上の所定領域に記録する段階をさらに含むことを特徴とする請求項２２に記載の欠陥管理方法。
【請求項２４】
前記検証段階は、
クラスター単位でデータを記録する段階と、
該当トラックの最初に戻っていく段階と、
前記クラスター単位で記録されたデータを読込んで検証する段階とを含む請求項２０に記載の欠陥管理方法。
【請求項２５】
記録媒体を駆動するための駆動部、前記記録媒体に光を照射して該当データを書き込み／読み出しする光ピックアップ部、データを記録するための信号に変調するか、記録された信号を元のデータに復元するための信号処理部と、
所定サイズの記録単位でデータを前記信号処理部と光ピックアップ部とを通じて前記記録媒体上の記録領域に記録した後、前記光ピックアップ部と信号処理部とを通じて読込まれたデータを検証して欠陥があれば、欠陥が発生した部分は飛ばした後、欠陥部分と以後に記録されたデータを前記信号処理部と光ピックアップ部とを通じて、前記記録媒体上の次の記録位置に再記録するように制御する制御部とを含むことを特徴とする追記型高密度記録媒体の記録／再生装置。
【請求項２６】
飛ばした前記欠陥部分とそれ以後に記録されたデータとに関する情報を臨時保存するメモリをさらに含む請求項２５に記載の記録／再生装置。
【請求項２７】
前記制御部は、記録されるべきデータを順次に記録と検証とを通じて全て記録した後には、前記メモリに臨時保存されている欠陥に関する情報を前記信号処理部と光ピックアップ部とを通じて前記記録媒体上の所定領域に記録するようにさらに制御することを特徴とする請求項２６に記載の記録／再生装置。
【請求項２８】
前記記録媒体上の記録位置は、前記駆動部によって調整され、前記メモリは記録されるべきデータを臨時にさらに保存し、前記制御部は記録されるべき位置やデータの量などをさらに制御し、前記光ピックアップ部と信号処理部とを通じて記録された領域から読込まれたデータと前記メモリに残っている現在記録したデータとを比較した後、欠陥有無を検証することを特徴とする請求項２５に記載の記録／再生装置。
【請求項２９】
前記所定サイズの記録単位は、所定数のクラスターより構成されたトラック単位であることを特徴とする請求項２５に記載の記録／再生装置。
【請求項３０】
前記所定サイズの記録単位は、１つのクラスター単位であることを特徴とする請求項２５に記載の記録／再生装置。
【発明の詳細な説明】
【技術分野】
【０００１】
本発明は記録媒体の欠陥管理分野に係り、特に記録後検証（ｖｅｒｉｆｙ  ａｆｔｅｒ  ｗｒｉｔｅ）モードで記録を行いつつ飛ばし（ｓｌｉｐｐｉｎｇ  ｒｅｐｌａｃｅｍｅｎｔ）置換を使用した欠陥管理方法が適用された追記型高密度記録媒体、欠陥管理方法及びその装置に関する。
【背景技術】
【０００２】
従来には、欠陥管理方法が、複数回反復記録／再生が可能であり、ランダムアクセス可能な媒体についてのみ行われた。ただ一回だけ記録が可能な媒体、すなわち、追記型（ｗｒｉｔｅ−ｏｎｃｅ）記録媒体の場合、媒体の特性上、今までは欠陥管理方法を適用していなかった。
【０００３】
一般的な欠陥管理方法として、線形置換を用いた欠陥管理方法と飛ばし置換を用いた欠陥管理方法との２種の欠陥管理方法が使われている。
【０００４】
線形置換を用いた欠陥管理方法は、媒体の使用中に特定の記録領域に欠陥が発生すれば、欠陥が発生した領域を余裕記録空間内の欠陥が発生していない領域と置換する方法である。この線形置換を用いた欠陥管理方法は、記録媒体が、反復記録が可能でリアルタイム記録をしていない場合に有用である。
【０００５】
飛ばし置換を用いた欠陥管理方法は、欠陥が発生した領域を使用せず、飛ばして欠陥のない直後の領域から記録を再び開始する方法であって、欠陥が発生すれば、以後に記録されるデータが順次に遅延されて記録される特徴を有しているために、一般的に媒体の初期化時に媒体の欠陥をあらかじめ検査して欠陥が発生した領域では、ユーザデータを記録するための論理的なアドレスを割り当てず、飛ばして割り当てることによって欠陥が発生した領域を使用しない方法である。この飛ばし置換を用いた欠陥管理方法は、今まで従来技術による記録媒体では、媒体の初期化時、すなわち、媒体を使用する前に媒体の欠陥有無を検査して該当欠陥領域を飛ばして記録可能にする方法を使用している。
【０００６】
したがって、線形置換を用いた欠陥管理方法は、ランダムアクセスが不可能な追記型記録媒体には適用できないという問題点と、飛ばし置換を用いた欠陥管理方法は、一度データを記録すれば、再び消して書き込めない追記型記録媒体は、媒体を使用する前に欠陥有無を検査する確認過程を行えないために、既存の飛ばし置換方法をそのまま追記型記録媒体に適用し難い問題点があった。
【０００７】
一方、光を使用する追記型記録媒体の場合、ＣＤ−Ｒ、ＤＶＤ−Ｒに次いで、青色レーザーを使用し、多層記録などの新たな技術を使用する追記型高密度記録媒体が開発されている。追記型高密度記録媒体は、数十ＧＢに至る記録容量を既存の媒体と同じ大きさの媒体で達成でき、安価で、記録後データの取り扱いがテープなどの既存バックアップ媒体とは違ってランダムアクセスが可能であり、かつ読み取り速度が速いなどの長所があって、特に大容量コンピュータ保存装置のバックアップ用として使用しうる。しかし、ユーザが特にシステムを使用しない夜にバックアップをするなどのバッチバックアップが要求される場合には、バックアップ中に媒体上に欠陥がある領域が発生するならば、バックアップができず、動作が中断されてしまうなどの問題点があった。
【発明の開示】
【発明が解決しようとする課題】
【０００８】
前記問題点を解決するために、本発明の目的は、欠陥管理方法が適用された追記型高密度記録媒体を提供するところにある。
【０００９】
本発明の他の目的は、記録後の検証モードでデータを記録しつつ、欠陥部分は飛ばし置換を使用した欠陥管理方法が適用された追記型高密度記録媒体を提供するところにある。
【００１０】
本発明のさらに他の目的は、追記型高密度記録媒体上に記録後、検証モードでデータを記録しつつ、欠陥部分は飛ばし置換を使用する欠陥管理方法を提供するところにある。
【００１１】
本発明のさらに他の目的は、追記型高密度記録媒体上に記録後、検証モードでデータを記録しつつ、欠陥部分は飛ばし置換を使用する欠陥管理装置を提供するところにある。
【００１２】
本発明によって前記目的は、追記型高密度記録媒体において、データが所定サイズの記録単位で記録されており、前記データは、前記記録単位で記録されてから検証され、検証された結果、欠陥があれば、欠陥が発生した部分は何らのデータも記録されず、前記欠陥部分とそれ以後に記録されたデータは次の記録位置に再記録されていることを特徴とする記録媒体により達成される。ここで、前記所定サイズの記録単位は、所定数のクラスターより構成されたトラック単位であるか、１つのクラスター単位であることが望ましい。
【００１３】
本発明の他の分野によれば、前記目的は、追記型高密度記録媒体のための欠陥管理方法において、所定サイズの記録単位のデータを記録した後、記録されたデータを検証する段階と、前記検証段階で検証された結果、欠陥があれば、欠陥が発生した部分は飛ばした後、次の記録位置に欠陥部分と欠陥部分以後に記録されたデータを再記録する段階とを含む欠陥管理方法により達成される。ここで、前記所定サイズの記録単位は、所定数のクラスターより構成されたトラック単位であるか、１つのクラスター単位であることが望ましい。
【００１４】
本発明のさらに他の分野によれば、前記目的は、記録媒体を駆動するための駆動部、前記記録媒体に光を照射して該当データを書き込み／読み出しする光ピックアップ部、データを記録するための信号に変調するか、記録された信号を元のデータに復元するための信号処理部を含む追記型高密度記録媒体の記録／再生装置において、所定サイズの記録単位でデータを前記信号処理部と光ピックアップ部とを通じて前記記録媒体上の記録領域に記録した後、前記光ピックアップ部と信号処理部とを通じて読込まれたデータを検証して欠陥があれば、欠陥が発生した部分は飛ばした後、欠陥部分と以後に記録されたデータとを前記信号処理部と光ピックアップ部とを通じて前記記録媒体上の次の記録位置に再記録するように制御する制御部を含むことを特徴とする欠陥管理装置により達成される。また、前記欠陥管理装置は、飛ばした前記欠陥部分とその以後にも記録されたデータに関する情報を臨時保存するメモリをさらに含んでいる。
【発明を実施するための最良の形態】
【００１５】
以下、添付した図面を参照して本発明の望ましい実施例を説明する。
【００１６】
本発明による追記型高密度記録媒体に適用しうる欠陥管理方法としては、反復記録が可能な記録媒体に適した線形置換は適用できず、飛ばし置換だけが使用されうる。しかし、追記型高密度記録媒体は、媒体を使用する前にあらかじめ欠陥の有無を検査する確認過程を行えないために、本発明では一部を記録した後、記録された内容を検証し、正常に記録された場合、次に記録せねばならない部分を記録し続ける記録後の検証モードでデータを記録しつつ、欠陥がある部分は飛ばし置換を使用して欠陥部分を飛ばした後、次の記録位置に欠陥部分とその以後に記録されたデータに該当するデータを再記録する過程を通じて、追記型高密度記録媒体にも欠陥管理方法を適用して記録媒体の信頼度を高めようとする。記録後の検証モードで前記部分の記録は所定サイズの記録単位よりなり、所定サイズの記録単位はディスクが１回転する間に記録しうるクラスターの数に該当するトラック単位または１クラスター単位になりうる。
【００１７】
ここで、記録媒体はエラー訂正のためのエラー訂正符号化またはデータの物理的な欠陥に対する耐性を高めるためにエラー訂正ブロックを物理的に相互分散された位置に記録するためのエラー訂正ブロック間の交互記録などで最小限に記録されうる単位がクラスターまたはエラー訂正ブロック単位に制限される。このように制限された最小限の記録単位を記録クラスターまたは単にクラスターと定義する。
【００１８】
図１は、本発明による追記型記録媒体上に適用された記録後の検証モードで、データを記録しつつ、飛ばし置換を使用した欠陥管理方法が図式化された一例であって、特にトラック単位でデータを記録した後、検証を行う場合を示している。トラック単位で記録した後、検証モードを行いつつ飛ばし置換を使用した欠陥管理方法はピックアップの移動量を最小化できて記録速度が速いという長所があるが、一方、欠陥が発生するクラスター以後に記録されたデータも再び記録せねばならないために、ユーザデータ領域の効用性が低下されうる。
【００１９】
ここで、データを処理する単位は、セクターとクラスターとに分けられ、セクターはコンピュータのファイルシステムや応用プログラムでデータを管理しうる最小限の単位を意味し、クラスターは一度に物理的にディスク上に記録されうる最小限の単位を意味する。一般的に１つあるいはそれ以上のセクターが１つのクラスターを構成する。
【００２０】
付加的に、セクターは、再び物理セクターと論理セクターとに分けられ、物理セクターはディスク上に１セクター分のデータが記録されるための空間を意味し、これを探すためにアドレスが与えられており、このアドレスを物理セクター番号（Ｐｈｙｓｉｃａｌ  Ｓｅｃｔｏｒ  Ｎｕｍｂｅｒ：ＰＳＮ）と称し、論理セクターはファイルシステムや応用プログラムでデータを管理するためのセクター単位を称し、論理セクター番号（Ｌｏｇｉｃａｌ  Ｓｅｃｔｏｒ  Ｎｕｍｂｅｒ：ＬＳＮ）が与えられている。ディスクにデータを記録して再生する記録／再生装置は、記録すべきデータのディス上の位置を物理セクター番号を使用して探し、データを記録するためのコンピュータまたは応用プログラムではデータ全体を論理セクター単位で管理し、データの位置を論理セクター番号で管理する。論理セクター番号と物理セクター番号との関係は、記録／再生装置の制御部が欠陥有無や記録開始位置などを使用して変換する。
【００２１】
図１を参照するに、ピックアップが１記録トラック単位で１トラック分のユーザデータ（ここでは、ＬＳＮ＝ｎ、ＬＳＮ＝ｎ＋１＊ｋ、ＬＳＮ＝ｎ＋２＊ｋ、ＬＳＮ＝ｎ＋３＊ｋ、ＬＳＮ＝ｎ＋４＊ｋ、ＬＳＮ＝ｎ＋５＊ｋ）を記録した後、１トラックをジャンプバックする。ここで、１クラスターはｋ個のセクターよりなっており、１記録トラック単位は、所定数のクラスターよりなっている。
【００２２】
１トラックがジャンプバックされて該当トラックの開始位置から１トラック分の記録されたデータを読込んで検証するが、欠陥が発見されれば、欠陥があるクラスター（ここでは、ＬＳＮ＝ｎ＋４＊ｋ）から該当トラック内の最後のクラスターまで飛ばした後、次に記録するトラックに欠陥クラスターと後続するクラスターとを再び記録して飛ばした部分のクラスターに該当する情報を記録／再生装置の臨時保存空間に保存する。
【００２３】
そして、１トラック分の記録されたデータを読込んで検証する時、欠陥が発生せず、正常に記録された場合には、次に記録すべきトラック単位のユーザデータを記録した後、検証する過程を反復する。
【００２４】
一方、トラック単位で記録して検証した後、欠陥が発生したクラスターだけを新たな記録領域に再記録する方法も可能であるが、このようにする場合、欠陥が発生したクラスター、欠陥クラスターを新たに記録せねばならない記録領域、そしてその間に欠陥なしに記録されたクラスターに関する情報が必要なだけでなく、記録／再生装置がこのように記録されたデータを読出すにも複雑な処理が必要となって実質的な利点が発生しない。
【００２５】
図２は、本発明による追記型記録媒体上に適用された記録後の検証モードでデータを記録しつつ、飛ばし置換を使用した欠陥管理方法が図式化された他の例であって、特にクラスター単位でデータを記録後に検証する場合を示している。クラスター単位で記録後の検証モードを行いつつ、飛ばし置換を使用した欠陥管理方法は、ユーザデータ領域を効率よく使用できる一方、記録速度が多少遅くなることがある。
【００２６】
図２を参照するに、１クラスター単位でユーザデータを記録して１トラックをジャンプバックして検証するが、欠陥が発生しないならば、クラスター単位で次のユーザデータを記録して検証することを反復する。次いで、１クラスターのユーザデータ（ＬＳＮ＝ｎ＋４＊ｋ）を記録した後、１トラックをジャンプバックして、すなわち、該当トラック内の最初の位置にジャンプして正常クラスター（ＬＳＮ＝ｎ、ＬＳＮ＝ｎ＋１＊ｋ、ＬＳＮ＝ｎ＋２＊ｋ、ＬＳＮ＝ｎ＋３＊ｋ）を過ぎて、１クラスターの記録されたデータ（ＬＳＮ＝ｎ＋４＊ｋ）を読込んで検証するが、欠陥が発見されれば、欠陥が発見されたクラスター（ＬＳＮ＝ｎ＋４＊ｋ）のみを飛ばした後、次に記録するクラスターに欠陥クラスターに該当するユーザデータを再記録し、飛ばしたクラスターに関する情報を記録／再生装置の臨時保存空間に保存しておく。
【００２７】
そして、記録と検証とを反復しつつ、欠陥がある領域は何れも飛ばし、記録せねばならないデータを何れも記録した後には、臨時保存空間に保存した欠陥に関する情報をディスク上の適切な欠陥管理情報を記録できる所定領域に記録して置くことによって、ユーザデータ領域が何れも使われずにデータが使われていない空いた記録領域が残っていて、新たなデータを以前に記録されたユーザデータ領域に後続して記録するか、記録されたデータを読込む時に欠陥部分は飛ばしつつ、正常に記録されたデータ領域の位置を探して読込めるようにする。
【００２８】
ここで、クラスター単位で記録と検証とを反復する場合には、記録媒体、すなわち、ディスクが回転しつつ、１本のレーザービームでデータを読込み／書込みする特性上、記録されたクラスターを再び読込んで検証するには、１トラックをジャンプバックせざるを得ないので、ジャンプバックした位置で、該当トラック内の現在記録されたクラスターに到達するまで、ディスクが回転する時間ほど記録速度を低下させる要因になるが、欠陥のあるクラスターだけ飛ばすことになってユーザデータ領域を効率よく使用できるようになる。
【００２９】
一方、トラック単位で記録と検証とを反復する場合には、１クラスターずつ記録と検証とを反復するような時間に１トラック分に該当する複数のクラスターを記録して検証できて記録速度が速くなる。しかし、記録されたデータの論理セクター番号を順次に保持させるためには、欠陥が発生したクラスターよりその後に記録されたあらゆるクラスターを再び記録せねばならないために、データの記録空間の使用効率が低下する。記録速度をさらに速くするために、１トラック以上の複数のトラックを同時に記録しても良いが、この場合には、１トラック単位であらゆるトラックを各々ジャンプバックする時間と複数のトラック単位であらゆるトラックを各々ジャンプバックする時間との差ほどだけ減らせて、記録速度が大きく向上しないだけでなく、記録されねばならない複数のトラック単位の初期に欠陥が発生する場合、記録領域の損失がさらに大きくなるという問題が発生する。
【００３０】
図３は、本発明による追記型高密度記録媒体のための欠陥管理方法の一実施例によるフローチャートである。
【００３１】
図３を参照するに、１記録単位（１トラック単位または１クラスター単位）でユーザデータを記録した後（Ｓ１０１段階）、１トラックをジャンプして戻る（Ｓ１０２段階）。該当トラック内の記録されたデータを検証するが（Ｓ１０３段階）、記録されたデータの欠陥有無を判断する（Ｓ１０４段階）。記録されたデータに欠陥があれば、欠陥を含むクラスターと欠陥クラスター以後に記録されたあらゆるデータを次の記録位置に再記録するが（Ｓ１０５段階）、図１に示されたように１トラック単位で記録した後に検証する場合には、欠陥クラスターと該当トラック内の欠陥クラスター以後のクラスターとを何れも飛ばした後、次に記録するトラックで欠陥クラスターとその以後のクラスターとに該当するデータを再記録し、図２に示されたようにクラスター単位で記録した後に検証する場合には、欠陥クラスターだけを飛ばした後、次に記録するクラスター位置に欠陥クラスターに該当するデータを再記録する。Ｓ１０４段階で、判断結果が記録されたデータに欠陥が発見されなければ、１トラック単位または１クラスター単位の次のデータを記録して検証する過程を反復する（Ｓ１０６段階）。
【００３２】
図４は、本発明による追記型高密度記録媒体のための欠陥管理を行う記録／再生装置の一実施例による構成図であって、記録媒体のディスク１０を駆動するための駆動部２０、ディスク１０に光を照射してデータを書込みまたは読込みするための光ピックアップ部３０、データを記録するための信号に変調するか、記録された信号を元のデータに復元するための信号処理部４０、各ブロックを制御するための制御部５０、そして記録されるべきデータを臨時に保存し、欠陥管理に必要な情報を臨時に記録して置くためのメモリ６０より構成されうる。
【００３３】
図４を参照するに、記録のために制御部５０を通じて入力された記録データは、信号処理部４０と光ピックアップ部３０とを通じてディスク１０に記録され、この際、ディスク１０上の記録位置は駆動部２０によって調整される。そして、記録位置とデータの量とは、制御部５０で制御する。記録されたデータは、制御部５０の制御によって光ピックアップ部３０と信号処理部４０とを通じて読込まれ、制御部５０は記録された領域から読込まれたデータとメモリ６０に残っている現在記録したデータとを比較した後、欠陥が発生した場合には、欠陥が発生したクラスターとその以後に記録されたデータとを信号処理部４０と光ピックアップ部３０とを通じてディスク１０上の新たな記録領域に再び記録し、欠陥クラスターとその以後に記録されたデータに関する情報を臨時保存空間のメモリ６０に記録しておく。そして、記録されねばならないデータを順次に記録と検証とを通じて全て記録した後には、制御部５０の制御下にメモリ６０に保存されていた欠陥に関する情報が読み出されて信号処理部４０と光ピックアップ部３０とを通じてディスク１０上の所定領域に記録するようになる。
【００３４】
本発明は、前記実施例に限定されず、本発明の技術的要旨を外れない範囲内で多様に変形させて実施しうる。
【産業上の利用可能性】
【００３５】
本発明は、追記型高密度記録媒体にも、記録後の検証モードでデータを記録しつつ、飛ばし置換を使用した欠陥管理方法を適用することによって、欠陥のある追記型高密度記録媒体であっても、欠陥を回避しつつ、記録し続けうるようにして、記録媒体の信頼度をさらに高めうる。
【００３６】
また、本発明は、大容量コンピュータ保存装置のバッチバックアップ用として追記型高密度記録媒体が使われる場合、媒体上に欠陥のある領域が発生しても、飛ばし置換を使用した欠陥管理方法が適用されて動作の中止なしに、バックアップを実行することによって、再実行の必要性や媒体を使用できなくなることなどの所望していないインターラプト動作を避けられて、システムの信頼性が向上しうる。
【図面の簡単な説明】
【００３７】
【図１】本発明による追記型高密度記録媒体上に適用された記録後の検証モードでデータを記録しつつ、飛ばし置換を使用した欠陥管理方法が図式化された一例を示す図である。
【図２】本発明による追記型高密度記録媒体上に適用された記録後の検証モードでデータを記録しつつ、飛ばし置換を使用した欠陥管理方法が図式化された他の例を示す図である。
【図３】本発明による追記型高密度記録媒体のための欠陥管理方法の一実施例によるフローチャートである。
【図４】本発明による追記型高密度記録媒体のための欠陥管理を行う記録／再生装置の一実施例による構成図である。
【図１】
2005535992.tif 000003
【図２】
2005535992.tif 000004
【図３】
2005535992.tif 000005
【図４】
2005535992.tif 000006
【国際調査報告】
2005535992.tif 000007
2005535992.tif 000008